(57)【要約】【課題】泥水に泡が発生する前段階で泥水の性状を把握することで、泥水処理や流体輸送を行う際の障害となる起泡性泥水の泡の発生を抑制することができるようにした起泡性泥水の処理方法。【解決手段】泥水を使用する工事で発生する起泡性泥水の処理方法において、工事で発生する泥水のｐＨ値を測定し、ｐＨ値が予め定めた閾値を超えた場合に、泥水にｐＨ調整剤を添加する。【選択図】なし【特許請求の範囲】
【請求項１】
泥水を使用する工事で発生する起泡性泥水の処理方法において、工事で発生する泥水のｐＨ値を測定し、ｐＨ値が予め定めた閾値を超えた場合に、泥水にｐＨ調整剤を添加することを特徴とする起泡性泥水の処理方法。
【請求項２】
前記ｐＨ調整剤に酸を使用し、該ｐＨ調整剤を泥水に添加することで泥水のｐＨ値を閾値以下に維持するようにすることを特徴とする請求項１に記載の起泡性泥水の処理方法。
【請求項３】
前記ｐＨ調整剤に炭酸水素ナトリウムを使用し、該ｐＨ調整剤を泥水に添加することを特徴とする請求項１又は２に記載の起泡性泥水の処理方法。
【請求項４】
前記閾値を、ｐＨ１２．０〜１３．０の範囲にある特定のｐＨ値に設定することを特徴とする請求項１、２又は３に記載の起泡性泥水の処理方法。
【請求項５】
前記工事で発生する泥水に、消泡剤、比重調整剤及び分散剤の１種又は２種以上を添加することを特徴とする請求項１、２、３又は４に記載の起泡性泥水の処理方法。
【発明の詳細な説明】
【技術分野】
【０００１】
本発明は、泥水を使用する工事、例えば、泥水シールド工事、泥水推進工事、基礎工事等で発生する起泡性泥水の処理方法に関するものである。
【背景技術】
【０００２】
従来、泥水シールド工事、泥水推進工事、基礎工事等で使用する泥水には、特定の条件で起泡しやすくなるものがあり、泥水が起泡することによって、泡を含む泥水が、脱水篩の下にある下部水槽や調整槽からオーバーフローするといった問題が発生している。
また、起泡しやすい泥水は、流体輸送を行う際の各種ポンプにおいて起泡に伴う泡の影響でキャビテーション発生の原因となり、ポンプ効率が低下することによって工事の進捗に影響を与える等の問題があった。
【０００３】
この問題の対策として、発生した泡に対して消泡剤を散布することや消泡装置を用いて消泡を行うことが実用化されている。特に、消泡剤については、シリコーン系、ポリエーテル系、鉱油系等の各種消泡剤が開発されているが（例えば、特許文献１参照。）、いずれも発生した泡に対する事後的な対策であって、泥水が起泡する原因や条件を含めた起泡性泥水の体系的な処理方法についての検討はなされていなかった。
【０００４】
このため、泥水を使用する工事においては、泥水に泡が発生した時点で消泡剤を散布する等の対策を講じており、条件によっては消泡が困難となる場合や一時的な消泡は可能であっても継続的に泡の発生を抑制することが困難となる場合があった。
また、キャビテーションの発生によるポンプ効率の低下の問題は、ポンプ効率が低下することによって初めて対策を講じることとなるため、対策が遅れがちになるという問題があった。
【先行技術文献】
【特許文献】
【０００５】
【特許文献１】特開２００３−０７３６６３号公報
【発明の概要】
【発明が解決しようとする課題】
【０００６】
本発明は、上記の泥水を使用する工事で発生する起泡性泥水の問題に鑑み、泥水が起泡する原因や条件を探求した結果、泥水に泡が発生する前段階で泥水の性状を把握することで、泥水処理や流体輸送を行う際の障害となる起泡性泥水の泡の発生を抑制することができるようにした起泡性泥水の処理方法を提供することを目的とする。
【課題を解決するための手段】
【０００７】
上記目的を達成するため、本発明の起泡性泥水の処理方法は、泥水を使用する工事で発生する起泡性泥水の処理方法において、工事で発生する泥水のｐＨ値を測定し、ｐＨ値が予め定めた閾値を超えた場合に、泥水にｐＨ調整剤を添加することを特徴とする。
【０００８】
この場合において、前記ｐＨ調整剤に酸を使用し、該ｐＨ調整剤を泥水に添加することで泥水のｐＨ値を閾値以下に維持するようにすることができる。
【０００９】
また、前記ｐＨ調整剤に炭酸水素ナトリウムを使用し、該ｐＨ調整剤を泥水に添加するようにすることができる。
【００１０】
また、前記閾値を、ｐＨ１２．０〜１３．０の範囲にある特定のｐＨ値、例えば、ｐＨ１２．５に設定することができる。
【００１１】
また、前記工事で発生する泥水に、消泡剤、比重調整剤及び分散剤の１種又は２種以上を添加することができる。
【発明の効果】
【００１２】
本発明の起泡性泥水の処理方法は、泥水を使用する工事で発生する泥水が起泡する原因や条件を探求した結果、その原因が、泥水のｐＨ（含有成分）、粘性、比重、水温にあり、特に、コンクリート構造物等やセメント等が含有している改良地盤を掘削することに伴う、工事で発生する泥水のｐＨ値の上昇にあることが判明した。
このため、この起泡性泥水の処理方法は、例えば、泥水に泡が発生する前段階で泥水の性状を把握することで、具体的には、工事で発生する泥水のｐＨ値を測定し、ｐＨ値が予め定めた閾値（当該閾値は、ｐＨ１２．０〜１３．０、好ましくは、ｐＨ１２．３〜１２．６の範囲にある特定のｐＨ値、例えば、ｐＨ１２．５に設定することができる。）を超えた場合に、泥水にｐＨ調整剤として、酸や炭酸水素ナトリウムを添加することによって、さらに、必要に応じて、泥水に、消泡剤、比重調整剤及び分散剤の１種又は２種以上を添加することによって、泥水処理や流体輸送を行う際の障害となる起泡性泥水の泡の発生を抑制したり、液中の気泡の脱泡を促進することができる。
【発明を実施するための形態】
【００１３】
以下、本発明の起泡性泥水の処理方法の実施の形態を、具体的な実施形態に基づいて説明する。
【００１４】
本発明の起泡性泥水の処理方法をなすに当たり、本発明の発明者らは、泥水を使用する工事で発生する泥水が起泡する原因や条件を探求するため、泥水シールド工事を例に、工事に用いられる材料及び工事に伴って泥水に含まれる材料について検討した。
その検討結果を、表１に示す。
【００１５】
【表１】
2020028868.tif 000002
【００１６】
ここで、コンクリート構造物中に含まれる、セメント、空気量調整剤、高性能ＡＥ減水剤等は、起泡性に顕著な影響を及ぼし、その他の添加剤では起泡性に大きな変化は確認できないことから、特に、マスターグレニウムＳＰ８ＳＶ（商品名）等の高性能ＡＥ減水剤やマスターエア２０２（商品名）等の空気量調整剤が含まれるコンクリート構造物等やセメント等が含有している改良地盤では顕著な起泡性が認められる。
【００１７】
泥水が起泡する原因については、上記の検討結果及び本発明の発明者らが行った他の実験結果から、泥水のｐＨ（含有成分）、粘性、比重、水温にあり、特に、表２に示すように、コンクリート構造物等やセメント等が含有している改良地盤を掘削することに伴う、工事で発生する泥水のｐＨ値の上昇にあることが判明した。
【００１８】
【表２】
2020028868.tif 000003
【００１９】
このため、本発明の起泡性泥水の処理方法は、例えば、泥水に泡が発生する前段階で泥水の性状を把握することで、具体的には、工事で発生する泥水のｐＨ値を測定し、ｐＨ値が予め定めた閾値（当該閾値は、ｐＨ１２．０〜１３．０、好ましくは、ｐＨ１２．３〜１２．６の範囲にある特定のｐＨ値、例えば、ｐＨ１２．５に設定することができる。）を超えた場合に、泥水にｐＨ調整剤を添加することで閾値以下に維持するようにすることによって、泥水処理や流体輸送を行う際の障害となる起泡性泥水の泡の発生を抑制するようにしたものである。
これにより、泡を含む泥水が脱水篩の下にある下部水槽や調整槽からオーバーフローするといった問題や流体輸送を行う際の各種ポンプにおいて起泡に伴う泡の影響でキャビテーションが発生してポンプ効率が低下することによる工事の進捗に影響を与える問題を解消することができる。
【００２０】
ここで、ｐＨ調整剤には、硫酸、塩酸、硝酸等の各種酸を用いることができ、それぞれ水に希釈したものを添加する等、その使用形態に特定の制限はない。
【００２１】
この場合において、さらに、必要に応じて、泥水に、消泡剤、比重調整剤及び分散剤の１種又は２種以上を添加することによって、起泡性泥水の泡の発生を抑制することができるが、その場合でも、工事で発生する泥水のｐＨ値を所定の閾値以下に管理することによって、消泡剤等の添加剤の添加量を抑制することができる。
【００２２】
ここで、消泡剤には、表３に示す実験結果から、ポリエーテル系、鉱物油系又はポリエーテル系＋鉱物油系の消泡剤を混合したものを用いることが望ましく、ポリエーテル系の消泡剤を１ｐｐｍ〜１０００ｐｐｍとなるように用いることがより望ましいが、消泡剤の効果が本発明の効果を逸脱しない限りは特に限定されない。
【００２３】
【表３】
2020028868.tif 000004
【００２４】
また、比重調整剤には、ベントナイトを用いることが望ましく、表４及び表５に示す実験結果から、泥水の比重は１．００〜１．２９ｇ／ｃｍ３の範囲にあって、特に、１．１５ｇ／ｃｍ３以下であることが望ましい。
【００２５】
また、表４及び表５に示す実験結果から、泥水の粘性がファンネル粘度計にて１９〜２２秒の範囲にあると起泡しやすく、２２秒以上となると起泡しにくくなる。しかし、高粘性やチクソ性を得た泥水においては、液中の気泡が脱泡しにくくなり、各種ポンプがキャビテーションを起こしやすい物性となる。
このため、液中の気泡の脱泡を促進するように分散剤を用いることが望ましい。このための分散剤としては、ポリアクリル酸塩やポリリン酸塩系等の分散剤を用いることができる。
【００２６】
【表４】
2020028868.tif 000005
【００２７】
【表５】
2020028868.tif 000006
【００２８】
ところで、ｐＨ調整剤には、上記の各種酸のほか、炭酸水素ナトリウムを単独又は各種酸と併せて用いることができる。
以下、ｐＨ調整剤に炭酸水素ナトリウムを使用した実験結果を示す。
【００２９】
表６に、実験に使用した材料を示す。
【００３０】
【表６】
2020028868.tif 000007
【００３１】
ｐＨ調整剤に炭酸水素ナトリウムを使用した実験は、以下のように行った。
（１）泥水（比重１．１０）に各切削対象コンクリート配合材料を添加した、表６に示す材料からなる対象泥水を１０分間撹拌した。
（２）落下法及び曝気法により泡沫の評価を行う。その際に、比重、ＦＶ粘性、水温及びｐＨを測定する。なお、比重はマッドバランス、粘性はファンネル粘度計、水温は温度計、ｐＨはポータブルｐＨ計にて測定を行った。
（３）高い発泡性を有する泥水に対し、炭酸水素ナトリウムを諸条件で添加し、（２）の実験から効果を確認する。また、経時変化によるｐＨの抑制時間を（２）の実験から確認した。
（４）消泡剤との併用効果を確認するために、消泡剤を添加したものと、消泡剤と炭酸水素ナトリウムを併用したもので（２）の実験を行った。
（５）希硫酸と併用効果を確認するために、希硫酸及び炭酸水素ナトリウムを併用してｐＨ調整したもので（２）の実験を行う。
（６）（３）〜（５）の経時的影響を（２）の実験から確認した。
【００３２】
各材料の泡沫安定度の評価は、以下の方法で行った。
本実験における泡沫安定度の評価をするため、２つの起泡力の評価法を採用した。
（１）落下法
１．高さ１ｍのところにファンネル（漏斗）を設置する。
２．落下地点に１０００ｍｌメスシリンダーを設置する。
３．ファンネルに各材料を添加した泥水５００ｍｌを入れ、落下させる。
４．落下後、泡の体積を目視によって読み取る。
（２）曝気法
１．各材料を添加した泥水５００ｍｌをメスシリンダーに取る。
２．メスシリンダーの中にバブルストーンを入れ、圧力を０．４ＭＰａに定めて曝気を行う。
３．曝気後、泡の体積を目視によって読み取る。
【００３３】
表７〜表１５に実験結果を示す。
【００３４】
【表７】
2020028868.tif 000008
【００３５】
【表８】
2020028868.tif 000009
【００３６】
【表９】
2020028868.tif 000010
【００３７】
【表１０】
2020028868.tif 000011
【００３８】
【表１１】
2020028868.tif 000012
【００３９】
【表１２】
2020028868.tif 000013
【００４０】
【表１３】
2020028868.tif 000014
【００４１】
【表１４】
2020028868.tif 000015
【００４２】
【表１５】
2020028868.tif 000016
【００４３】
表７〜表１５に示す実験結果から、以下のことが明らかとなった。
（１）ｐＨ調整剤に炭酸水素ナトリウムを用いることで、泥水は起泡性の高い性状になるが、消泡速度が速くなることが分かった。具体的には、曝気法では、泡がオーバーフローを起こすほど起泡性の高い性状になったが、消泡が速く１０秒程度で完全に消泡する泥水性状となっていることを確認した。
（２）消泡剤との併用実験では、炭酸水素ナトリウムを用いて消泡性を高めた泥水を、消泡剤にて抑泡することで非常に起泡し難い泥水となることを確認した。
（３）結果として、炭酸水素ナトリウムには、ｐＨを低下させる機能が認められ、セメント粒子などのアルカリ溶出原因物質との割合でその効果が変化することが分かった。一方、希硫酸と同様に、経時によるｐＨの上昇が認められ、起泡性が高まることを確認した。
（４）消泡剤との併用によって消泡性・抑泡性が向上することを確認した。
（５）ｐＨ調整剤としての希硫酸との併用によって消泡性・抑泡性が向上することを確認した。
【００４４】
以上、本発明の起泡性泥水の処理方法について、その実施形態に基づいて説明したが、本発明は上記実施形態に限定されるものではなく、その趣旨を逸脱しない範囲において適宜その構成を変更することができるものである。
【産業上の利用可能性】
【００４５】
本発明の起泡性泥水の処理方法は、泥水に泡が発生する前段階で泥水の性状を把握することで、泥水処理や流体輸送を行う際の障害となる起泡性泥水の泡の発生を抑制することができることから、泥水シールド工事、泥水推進工事、基礎工事等の泥水を使用する工事における起泡性泥水の処理の用途に好適に用いることができる。